(57)【特許請求の範囲】
【請求項１】
ヘッドレール（１２）を移動可能な複数のキャリアの各々からルーバー（１６）を吊下し、各ルーバー（１６）の下端にバランスウエイト（１８、１８−１，１８−２）を取り付けた縦型ブラインドにおいて、
前記バランスウエイト（１８、１８−１，１８−２）を、互いに対向する前面部（１８ａ、１８−１ａ）と後面部（１８ｂ、１８−１ｂ）とから構成し、ルーバー（１６）の下端を、前記バランスウエイト（１８、１８−１，１８−２）の前面部（１８ａ、１８−１ａ）と後面部（１８ｂ、１８−１ｂ）とで挟持すると共に、バランスウエイト（１８、１８−１，１８−２）の側部を両側方から押し付けることによって前面部（１８ａ、１８−１ａ）の上部と後面部（１８ｂ、１８−１ｂ）の上部の間で開口を形成し、該開口を貫通するルーバー（１６）に対してバランスウエイト（１８、１８−１，１８−２）を位置調整可能としたことを特徴とする縦型ブラインド。
【請求項２】
前記バランスウエイト（１８−１）の前面部（１８−１ａ）と後面部（１８−１ｂ）のそれぞれの対向面の少なくとも一方に、水平に伸びる溝部（１８ｆ、１８ｇ）を互いに平行に複数形成し、ルーバー（１６）の下端に、該複数の溝部（１８ｆ、１８ｇ）のうちのいずれかに係合される膨大部（１６ａ）を形成することを特徴とする請求項１記載の縦型ブラインド。
【請求項３】
前記バランスウエイト（１８−２）の前面部（１８ａ）と後面部（１８ｂ）のそれぞれの対向面のいずれか一方に磁性体（２２）を設け、いずれか他方に該磁性体（２２）を吸着する磁石（２４）を設けることを特徴とする請求項１または２記載の縦型ブラインド。
【発明の詳細な説明】
【０００１】
【発明の属する技術分野】
本発明は、縦型ブラインドに関し、特に、そのルーバーのバランスウエイトに特徴を有する縦型ブラインドに関する。
【０００２】
【従来の技術】
従来の縦型ブラインドのバランスウエイトとしては、例えば、実公平４−２９０２９号公報に記載されたものがある。かかる公報に記載された縦型ブラインドのバランスウエイトは、ルーバーの下端部及びバランスウエイトにそれぞれ適宜間隔で複数の透孔を形成し、係止具をルーバーの透孔及びバランスウエイトの透孔に係止させた状態で、これらをバランスウエイトカバー内に収納し、ルーバー上部をバランスウエイトカバーの上方に設けたスリットから上方に導出するようにしている。
【０００３】
【発明が解決しようとする課題】
しかしながら、かかる従来のバランスウエイトでは、バランスウエイトカバーがバランスウエイトに対して上端に引っ掛かっているだけの状態であるため、ルーバーが風で煽られたとき等に、バランスウエイトカバーがルーバーに対して上方にずれやすく、上方にずれてしまうと、バランスウエイトがルーバーから脱落して落下するという問題がある。また、部品点数が多く、ルーバーへバランスウエイトを取り付ける作業も手間がかかるという問題がある。
【０００４】
本発明は、このような課題を解決するためのもので、バランスウエイトを簡単且つ確実にルーバーに着脱することができ、且つルーバーの高さ寸法の調整も簡単に行うことができる縦型ブラインドを提供することをその目的とする。
【０００５】
【課題を解決するための手段】
上記目的を達成するために、本発明のうちで請求項１記載の発明は、ヘッドレールを移動可能な複数のキャリアの各々からルーバーを吊下し、各ルーバーの下端にバランスウエイトを取り付けた縦型ブラインドにおいて、
前記バランスウエイトを、互いに対向する前面部と後面部とから構成し、ルーバーの下端を、前記バランスウエイトの前面部と後面部とで挟持すると共に、バランスウエイトの側部を両側方から押し付けることによって前面部の上部と後面部の上部の間で開口を形成し、該開口を貫通するルーバーに対してバランスウエイトを位置調整可能としたことを特徴とする。
【０００６】
本発明では、バランスウエイト自身の前面部と後面部とでルーバーを挟持する構成としたため、構成が簡単であり、部品の脱落のおそれがない。ルーバーの高さ寸法を調整する場合には、前面部と後面部のそれぞれの側部を両側から押し付けることにより、開口を形成し、開口を貫通するルーバーに対してバランスウエイトを移動して、ルーバーのバランスウエイトの挿入長さを調整する。
【０００７】
また、請求項２記載の発明は、請求項１記載の前記バランスウエイトの前面部と後面部のそれぞれの対向面の少なくとも一方に、水平に伸びる溝部を互いに平行に複数形成し、ルーバーの下端に、該複数の溝部のうちのいずれかに係合される膨大部を形成することを特徴とする。
【０００８】
バランスウエイトの内面の適当な溝部に、ルーバーの膨大部を係合させることにより、バランスウエイトがルーバーに対してずれたり脱落することなく、確実にバランスウエイトの前面部と後面部とでルーバーを挟持する。ルーバーの高さ寸法の調整を行う際には、ルーバーの膨大部を係合させるべき溝部を変えることで、簡単に高さを変えることができる。係合させる溝部を揃えることで、縦型ブラインドにおける多数のルーバーの高さを精度良く揃えることができる。
【０００９】
また、請求項３記載の発明は、請求項１または２記載の前記バランスウエイトの前面部と後面部のそれぞれの対向面のいずれか一方に磁性体を設け、いずれか他方に磁性体を吸着する磁石を設けることを特徴とする。
【００１０】
磁性体と磁石との吸着力により、バランスウエイトのルーバーの挟持をより一層確実なものとする。
【００１１】
【発明の実施の形態】
以下、図面を用いて本発明の実施の形態を説明する。図１ないし図４は本発明に係る縦型ブラインドの実施形態を表す図である。
【００１２】
この縦型ブラインド１０において、１２は、窓枠等に取り付けられるヘッドレールである。ヘッドレール１２には、複数のキャリア（図示せず）がスライド移動可能となっており、各キャリアからは、ルーバー１６が吊下げられており、ルーバー１６の下端には、バランスウエイト１８が取り付けられている。ヘッドレール１２の一端側から導出される操作コード１９を操作することにより、キャリアを駆動して、ルーバー１６を畳み込んだり、展開して、ルーバー１６を開閉したり、またはルーバー１６を回転させたりすることができるようになっている。
【００１３】
図２に示したように、バランスウエイト１８は合成樹脂製からなり、一体となった前面部１８ａと後面部１８ｂとから構成される。前面部１８ａと後面部１８ｂの境界線上には、薄肉のヒンジ部１８ｃが形成されると共に、前面部１８ａと後面部１８ｂのいずれか一方（図の例では前面部１８ａ）の端縁にフック部１８ｄが形成されている。ヒンジ部１８ｃで折り畳んで前面部１８ａと後面部１８ｂとを対向させて重なり合わせ、フック部１８ｄを後面部１８ｂの端縁に係止させることで、前面部１８ａと後面部１８ｂは袋状となる。図３（ａ）に示したように、袋状となった前面部１８ａと後面部１８ｂの上部の合わせ目は、通常は密着しており、前面部１８ａと後面部１８ｂとでルーバー１６の下端を挟持しているが、バランスウエイト１８の側部（図３（ａ）の矢印）を両側方から押し付けることで、前面部１８ａと後面部１８ｂのそれぞれの上部の間で開口が形成され、図３（ｂ）に示すように、この開口からルーバー１６の下端を挿入・位置調整することができるようになっている。尚、１８ｅは、スペーサコード２０係止用の突起部である。
【００１４】
以上のように構成される縦型ブラインド１０においては、バランスウエイト１８の側部を中心側に向かって押し付けて、ルーバー１６を取り付けまたはルーバー１６を取り外すことができるから、その着脱が簡単である。また、ルーバー１６の高さ寸法を調整する必要がある場合には、バランスウエイト１８の側部を両側方から押し付けて同様に開口を形成して、ルーバー１６を引き出すかまたは逆に挿入して、図４に示すようにルーバー１６のバランスウエイト１８内に挿入される長さを変化させることにより、調整することができる。前面部１８ａと後面部１８ｂのルーバー１６を挟持する対向面は、それぞれ平坦面となっているため、ルーバー１６に跡ができるおそれがない。従って、ルーバー１６を引き出したときに跡が露出して見栄えを悪化させる、といった事態を防ぐことができる。
【００１５】
次に、図５は、本発明の第２実施形態を表す要部断面図である。この実施形態において、第１実施形態と同じ部分は同じ符号を付し、その詳細説明を省略する。
【００１６】
第２実施形態のバランスウエイト１８−１では、その前面部１８−１ａと後面部１８−１ｂのそれぞれの対向面に、水平に伸びる複数の溝部１８ｆ、１８ｇが形成されている。複数の溝部１８ｆ、１８ｇは、高さ方向に互いに平行に形成されており、前面部１８−１ａ側に形成された溝部１８ｆと後面部１８−１ｂ側に形成された溝部１８ｇとは、対応した対同士の高さ位置が一致するようになっており、前面部１８−１ａと後面部１８−１ｂとが対向して重なり合った状態で、対応する溝部１８ｆと１８ｇとによって、空洞部が形成される。一方、ルーバー１６の下端には、膨大部１６ａが形成されており、溝部１８ｆと１８ｇとによって形成される空洞部に係合可能となっている。
【００１７】
この実施形態では、膨大部１６ａが溝部１８ｆ、１８ｇに係合されるため、ルーバー１６に対してバランスウエイト１８が脱落することを確実に阻止することができる。また、膨大部１６ａが係合される溝部１８ｆ、１８ｇを適宜選択することにより、ルーバー１６の高さ調整をより簡単に行うことができる。多数のルーバー１６において、膨大部１６ａを係合させる溝部１８ｆ、１８ｇを同じ位置形成された溝部１８ｆ、１８ｇに揃えることにより、多数のルーバー１６の間でその高さを精度良く合わせることができる。尚、この実施形態では、前面部１８−１ａと後面部１８−１ｂの両方に溝部１８ｆ、１８ｇを形成したが、これに限るものではなく、前面部１８−１ａと後面部１８−１ｂの対向する面のいずれか一方に、膨大部１６ａが収容可能な空洞部を形成する溝部を形成してもよい。また、溝部１８ｆ、１８ｇとなっていない前面部１８−１ａと後面部１８−１ｂのルーバー１６を挟持する対向面は、それぞれ平坦面となっているため、ルーバー１６に跡ができるおそれがない。従って、ルーバー１６を引き出したときに跡が露出して見栄えを悪化させる、といった事態を防ぐことができる。
【００１８】
次に、図６は、本発明の第３実施形態を表す要部断面図である。この第３実施形態では、そのバランスウエイト１８−２の前面部１８ａと後面部１８ｂの対向面のいずれか一方、即ち図の例では前面部１８ａに、磁性体である金属板２２が設けられている。また、他方の後面部１８ｂには、磁石２４が設けられている。これらの金属板２２及び磁石２４は、接着またはインサート成形等により、合成樹脂製の前面部１８ａ及び後面部１８ｂに一体に取り付けられている。
【００１９】
この実施形態では、前面部１８ａと後面部１８ｂの間におけるルーバー１６の挟持力が、磁石２４と磁性体２２との間の吸着力によって増し、ルーバー１６の下端の挟持がより一層確実なものとなっている。さらには、金属板２２及び磁石２４によって、バランスウエイト１８−２として必要な重量を確保することができ、前面部１８ａまたは後面部１８ｂの肉厚を薄くすることもできる。尚、この実施形態の磁性体２２及び磁石２４を第２の実施形態における前面部１８−１ａと後面部１８−１ｂの対向面に設けることも可能である。
【００２０】
さらには、上記各実施形態において、前面部１８ａ、１８−１ａと後面部１８ｂ、１８−１ｂとは一体品としたが、これに限るものではなく、別部品から構成して、互いに袋状にするものであってもよい。
【００２１】
【発明の効果】
以上説明したように、請求項１ないし３記載の発明によれば、バランスウエイト自身の前面部と後面部とでルーバーを挟持する構成としたため、構成が簡単であり、簡単にルーバーに着脱することができる。ルーバーの高さ寸法を調整する場合には、バランスウエイトの側部を両側方から押し付けて、開口を形成し、開口を貫通するルーバーに対してバランスウエイトを移動して、ルーバーのバランスウエイトの挿入長さを調整することができる。
【００２２】
また、請求項２記載の発明によれば、バランスウエイトの内面の適当な溝部に、ルーバーの膨大部を係合させることにより、バランスウエイトがルーバーに対してずれたり脱落することなく、確実にバランスウエイトの前面部と後面部とでルーバーを挟持することができる。さらには、ルーバーの高さ寸法の調整を行う際には、ルーバーの膨大部を係合させるべき溝部を変えることで、簡単に高さを変えることができる。係合させる溝部を揃えることで、縦型ブラインドにおける多数のルーバーの高さを精度良く揃えることができる。
【００２３】
また、請求項３記載の発明によれば、磁性体と磁石との吸着力により、バランスウエイトのルーバーの挟持をより一層確実なものとすることができる。さらには、磁性体及び磁石によって重量が大きくすることができるので、バランスウエイトの他の部分を小型化することもできる。
【図面の簡単な説明】
【図１】本発明の縦型ブラインドの全体斜視図である。
【図２】バランスウエイト及びルーバーの下端の展開斜視図である。
【図３】（ａ）はバランスウエイト及びルーバーの下端の斜視図であり、（ｂ）は（ａ）における矢印方向にバランスウエイトの側部を押し付けた状態を表す斜視図である。
【図４】（ａ）はバランスウエイト及びルーバーの下端の通常状態を表す正面図、（ｂ）はそのルーバーの高さを伸ばした状態を表す正面図及び（ｃ）はルーバーの高さを詰めた状態を表す正面図である。
【図５】本発明の第２実施形態を表すバランスウエイト及びルーバーの下端の縦断面図である。
【図６】本発明の第３実施形態を表すバランスウエイト及びルーバーの下端の縦断面図である。
【符号の説明】
１０  縦型ブラインド
１２  ヘッドレール
１６  ルーバー
１６ａ  膨大部
１８、１８−１、１８−２  バランスウエイト
１８ａ、１８−１ａ  前面部
１８ｂ、１８−１ｂ  後面部
１８ｆ、１８ｇ  溝部
２２  磁性体
２４  磁石
【図１】
0003560879.tif 000002
【図２】
0003560879.tif 000003
【図３】
0003560879.tif 000004
【図４】
0003560879.tif 000005
【図５】
0003560879.tif 000006
【図６】
0003560879.tif 000007